(57)【要約】【課題】枕側への液の移動を防止しつつ、使用者に不快感をあたえることない使い捨て用枕カバーの提供。【解決手段】液透過性表面側シート２と液透過性裏面側シート４との間に液吸収性シート３を挟んで積層した使い捨て用枕カバー１であって、液透過性表面側シート２と液透過性裏面側シート４が液透過性と一端透過した液の逆戻り防止可能なポリオレフィン系不織布で構成されている。【選択図】      図２
2013085821.tif 000002
【特許請求の範囲】
【請求項１】
液透過性表面側シートと液透過性裏面側シートとの間に液吸収性シートを挟んで積層した使い捨て用枕カバーであって、
前記液透過性表面側シートと液透過性裏面側シートが液透過性と一端透過した液の逆戻り防止可能なポリオレフィン系不織布で構成されていることを特徴とする使い捨て用枕カバー。
【請求項２】
請求項１に記載の使い捨て用枕カバーにおいて、
前記液透過性表面側シート及び液透過性裏面側シートは凸部と凹部を有するエンボス加工が施されていることを特徴とする使い捨て用枕カバー。
【請求項３】
請求項１又は請求項２に記載の使い捨て用枕カバーにおいて、
前記液透過性表面側シートと液透過性裏面側シートと液吸収性シートの少なくとも１つに防ダニ加工が施されていることを特徴とする使い捨て用枕カバー。
【請求項４】
請求項１〜３のいずれか１項に記載の使い捨て用枕カバーにおいて、
前記使い捨て用枕カバーの形状が円形であることを特徴とする使い捨て用枕カバー。
【発明の詳細な説明】
【技術分野】
【０００１】
本発明は、汗、脂分、洗髪後の濡れた毛髪の水分、髪の染め色などが枕や寝具に付着するのを防止する使い捨て用枕カバーに関する。
【背景技術】
【０００２】
従来、使い捨て用枕カバーとしては、例えば、特許文献１に示すように、液透過性表面シートと液不透過性裏面シートの間に液吸収体を介装した状態で積層した構造のものが知られている。
【先行技術文献】
【特許文献】
【０００３】
【特許文献１】特開２００９−１９５３２２号公報
【発明の概要】
【発明が解決しようとする課題】
【０００４】
しかしながら、従来の使い捨て用枕カバーにあっては、以下に述べるような問題点があった。
すなわち、従来の使い捨て用枕カバーにあっては、枕への液の移動を確実に阻止する目的で、枕と接する裏面シートが液不透過性を有するポリエチレン等のプラスチックフィルムで構成されていたため、これを枕カバーとして使用した場合に、寝返りなどで使用者が頭を動かす度にプラスチックフィルム独特のガサガサという音を発し、使用者に不快感を与えるという問題があった。
【０００５】
本発明の解決しようとする課題は、枕側への液の移動を防止しつつ、使用者に不快感をあたえることない使い捨て用枕カバーを提供することにある。
【課題を解決するための手段】
【０００６】
上記課題を解決するため請求項１記載の使い捨て用枕カバーは、液透過性表面側シートと液透過性裏面側シートとの間に液吸収性シートを挟んで積層した使い捨て用枕カバーであって、
前記液透過性表面側シートと液透過性裏面側シートが液透過性と一端透過した液の逆戻り防止可能なポリオレフィン系不織布で構成されていることを特徴とする。
【０００７】
また、請求項２記載の使い捨て用枕カバーは、請求項１に記載の使い捨て用枕カバーにおいて、
前記液透過性表面側シート及び液透過性裏面側シートは凸部と凹部を有するエンボス加工が施されていることを特徴とする。
【０００８】
また、請求項３記載の使い捨て用枕カバーは、請求項１又は請求項２記載の使い捨て用枕カバーにおいて、
前記液透過性表面側シートと液透過性裏面側シートと液吸収性シートの少なくとも１つに防ダニ加工が施されていることを特徴とする。
【０００９】
また、請求項４記載の使い捨て用枕カバーは、請求項１〜請求項３のいずれか１項に記載の使い捨て用枕カバーにおいて、
前記使い捨て用枕カバーの形状が円形であることを特徴とする。
【発明の効果】
【００１０】
請求項１記載の使い捨て用枕カバーでは、上述のように、液透過性裏面側シートが液透過性と一端透過した液の逆戻り防止可能なポリオレフィン系不織布で構成されることで、ポリオレフィン系不織布の逆戻り防止機能と素材の柔軟性により枕側への液の移動を防止しつつ、使用者にガサガサ音による不快感を与えることを防止できるようになる。
【００１１】
請求項２記載の使い捨て用枕カバーでは、上述のように、液透過性表面側シート及び液透過性裏面側シートは凸部と凹部を有するエンボス加工が施されることにより、素材全体の柔軟性が高まるので、快適な使用感が得られるようになる。
【００１２】
請求項３記載の使い捨て用枕カバーでは、上述のように、液透過性表面側シートと液透過性裏面側シートと液吸収性シートの少なくとも１つに防ダニ加工が施されることにより、枕カバーにおけるダニの発生を抑制することができるようになる。
【００１３】
請求項４記載の使い捨て用枕カバーでは、上述のように、その形状を円形としたことで、枕の大小や形にこだわることなしに使用でき、応用範囲を広げることができるようになる。
【図面の簡単な説明】
【００１４】
【図１】実施例１の使い捨て用枕カバーを示す表面側斜視図である。
【図２】図１のＳ２−Ｓ２線における拡大断面図である。
【発明を実施するための形態】
【００１５】
以下にこの発明の実施例を図面に基づいて説明する。
【実施例１】
【００１６】
まず、この実施例１の使い捨て用枕カバーの構成を図１、２に基づいて説明する。
【００１７】
この実施例１の使い捨て用枕カバー１は、図１、２に示すように、円形の液透過性表面側シート２と液透過性裏面側シート４との間に円形の液吸収性シート３を挟んで積層し、外周縁部を３層一体に熱シール５して結合した構造となっている。
【００１８】
さらに詳述すると、液透過性表面側シート２と液透過性裏面側シート４は、液透過性と一端透過した液の逆戻り防止可能なポリオレフィン系不織布で構成されている。
【００１９】
また、液透過性表面側シート２と液透過性裏面側シート４は、図２に示すように、凸部１１と凹部１２を有するエンボス加工が施されている。
【００２０】
液吸収性シート３としては、少なくとも寝ている間に頭部から出る汗や脂分や、洗髪後頭髪に残った水分を吸収可能であればその素材は任意であり、高分子吸収材以外に、吸収紙、綿状パルプなどの使用が可能である。特に、リサイクル紙を用いることで、エコ要求にも貢献することができる。
【００２１】
また、この実施例１では、液透過性表面側シート２と液透過性裏面側シート４と、液吸収性シート３のいずれか１つ以上、少なくとも枕に直接接する液透過性裏面側シート４に防ダニ加工が施される。
【００２２】
次に、この実施例１の作用・効果を説明する。
この実施例１の使い捨て用枕カバー１では、上述のように、液透過性表面側シート２と液透過性裏面側シート４が液透過性と一端透過した液の逆戻り防止可能なポリオレフィン系不織布で構成されることで、ポリオレフィン系不織布の逆戻り防止機能と素材の柔軟性により枕側への液の移動を防止しつつ、使用者にガサガサ音による不快感を与えることを防止できるようになる。
【００２３】
また、液透過性表面側シート２及び液透過性裏面側シート４は凸部１１と凹部１２を有するエンボス加工が施されることにより、素材全体の柔軟性が高まるので、より快適な使用感が得られるようになる。
【００２４】
また、液透過性表面側シート２と液透過性裏面側シート４と液吸収性シート３の少なくとも１つに防ダニ加工が施されることにより、枕カバー１におけるダニの発生を抑制することができるようになる。特に、枕と直接接する液透過性裏面側シート４に防ダニ加工を施すことで、枕の防ダニ効果が高まる。
【００２５】
また、枕カバー１の形状を円形とすることで、枕の大小や形にこだわることなしに使用でき、応用範囲を広げることができるようになる。
【００２６】
以上本実施例を説明してきたが、本発明は上述の実施例に限られるものではなく、本発明の要旨を逸脱しない範囲の設計変更等があっても、本発明に含まれる。
【００２７】
例えば、実施例では、枕カバー１の形状を円形とした例を示したが、その形状は任意であり、多角形、正方形、長方形、筒状、袋状などにすることができる。
また、防ダニ加工の他に、抗菌、消臭、芳香加工を施すこともできる。
【符号の説明】
【００２８】
１  使い捨て用枕カバー
２  液透過性表面シート
３  液吸収シート
４  液不透過性裏面シート
５  熱シール
１１  凸部
１２  凹部
【図１】
2013085821.tif 000003
【図２】
2013085821.tif 000004